(57)【特許請求の範囲】
【請求項１】
左右の側面部材の間に掛け渡した棚板の上方空間を左右方向に仕切る棚の仕切り装置であって、左右方向に長手で、この長手方向に対する垂直断面が長方形の一角を切除した形状をなす、前後調整杆の上記切除して形成された傾斜辺に対応した斜面に、左右方向を向く案内溝を設けるとともに、該案内溝に、仕切り部材の係止部を係脱自在に、かつ、左右方向に摺動自在に嵌合し、棚板の所定個所に前後調整杆を配置することにより、仕切り部材の前後位置を変更可能としたことを特徴とする棚における奥行き調整機能を有する仕切り装置。
【請求項２】
前後調整杆の断面形状における傾斜辺を、長方形の長辺側の切除寸法より、短辺側の切除寸法が短くなるように形成したことを特徴とする請求項１記載の棚における奥行き調整機能を有する仕切り装置。
【請求項３】
棚板の後方に背面板を設け、前後調整杆における傾斜辺に対応した斜面と対向する２面の一方を前記背面板に当接し、他方を棚板に当接して配置したことを特徴とする請求項１又は２に記載の棚における奥行き調整機能を有する仕切り装置。
【請求項４】
案内溝の溝奥部が拡径した形状をなし、かつ、仕切り部材を、金属杆材をほぼＵ字形に折曲するとともに、両遊端を外側へ折曲した後、両遊端を他の部分と直角をなし、相互に平行になるように折曲して係止部を形成したものとし、該係止部を弾性的にすぼませることにより、前記の案内溝に嵌合させるようにしたことを特徴とする請求項１〜３のいずれかに記載の棚における奥行き調整機能を有する仕切り装置。
【請求項５】
棚板の上面に、左右方向を向く複数の凹溝を形成し、前後調整杆に前記凹溝と係合する突条を設けたことを特徴とする請求項１、２または４のいずれかに記載の棚における奥行き調整機能を有する仕切り装置。
【発明の詳細な説明】
【０００１】
【発明の属する技術分野】
本発明は、図書館、事務所等で使用される棚における奥行き調整機能を有する仕切り装置に関する。
【０００２】
【従来の技術】
図書館、事務所等で使用される棚において、棚板の上方空間を、左右方向に仕切らせる場合、図６に示すように棚(17)の左右の側面部材(18)(18)の間に掛け渡された棚板(19)の裏面の中央部に左右方向を向く溝奥部が拡径した形状の案内溝(20)を設け、この案内溝(20)に、金属杆材を折曲して形成された仕切り部材(21)の係合部(22)を係脱自在で、かつ、左右方向へ摺動できるように嵌合した垂下式の仕切り装置は知られている。
【０００３】
前記した垂下式の仕切り部材(21)は、棚板(19)の上方空間に収納される書籍や書類等(23)が、図７に破線や１点鎖線で示す程度の大きさであれば、仕切り部材(21)によりほぼ確実に支持させることができる。しかし、書籍や書類等(23)が２点鎖線で示す程度の大きさよりも小さく高さが低い場合は、支持は不確実、または、不可能となる。更に、この仕切り装置は、棚板(19)の上方空間の奥行きを調整したい場合は、別途、調整部材(24)を設置しなければならない。
【０００４】
【発明が解決しようとする課題】
本発明は、上記した従来の問題に鑑み、高さが低い書籍や書類等も確実に支持されるとともに、棚板の上方空間の奥行も併せ調整することができるようにした、棚における仕切り装置を提供することを目的とする。
【０００５】
【課題を解決するための手段】
本発明によると上記課題は次のようにして解決される。
(１) 左右の側面部材の間に掛け渡した棚板の上方空間を左右方向に仕切る棚の仕切り装置であって、左右方向に長手で、この長手方向に対する垂直断面が長方形の一角を切除した形状をなす、前後調整杆の上記切除して形成された傾斜辺に対応した斜面に、左右方向を向く案内溝を設けるとともに、該案内溝に、仕切り部材の係止部を係脱自在に、かつ、左右方向に摺動自在に嵌合し、棚板の所定個所に前後調整杆を配置することにより、仕切り部材の前後位置を変更可能とする。
【０００６】
(２) 上記(１)項において、前後調整杆の断面形状における傾斜辺を、長方形の長辺側の切除寸法より、短辺側の切除寸法が短くなるように形成する。
【０００７】
(３) 上記(１)または(２)項において、棚板の後方に背面板を設け、前後調整杆における傾斜辺に対応する斜面と対向した２面の一方を前記背面板に当接し、他方を棚板に当接して配置する。
【０００８】
(４) 上記(１)〜(３)項のいずれかにおいて、案内溝の溝奥部が拡径した形状をなし、かつ、仕切り部材を、金属杆材をほぼＵ字形に折曲するとともに、両遊端を外側へ折曲した後、両遊端を他の部分と直角をなし、相互に平行になるように折曲して係止部を形成したものとし、該係止部を弾性的にすぼませることにより、前記の案内溝に嵌合させるようにする。
【０００９】
(５) 上記(１)、(２)または(４)項のいずれかにおいて、棚板の上面に、左右方向を向く複数の凹溝を形成し、前後調整杆に前記凹溝と係合する突条を設ける。
【００１０】
【発明の実施の形態】
以下、本発明の実施形態を、添付図面を参照しながら説明する。
【００１１】
書籍、書類等(１)を収納する棚(２)は、図１に示すように、左右の側面部材(３)(３)と、側面部材(３)(３)の上部及び下部をそれぞれ連結させる天板(４)及び底板(５)と、左右の側面部材(３)(３)に掛け渡された複数の棚板(６)と、各棚板(６)の背部に設けられた背面板(７)と、各棚板(６)の上方空間を適当に仕切らせる仕切り部材(８)とを備えている。
【００１２】
棚(２)における棚板(６)は、左右の側面部材(３)(３)の離間距離が大きい場合、中間部をも支持しないと、棚板(６)が中垂れを生じ易い。このため、図１に示すように棚(６)の後部に複数本の支柱(９)を等間隔で立設させ、支柱(９)にブラケット(10)を取付けて、このブラケット(10)により棚板(６)の中間部をも掛持させる。
【００１３】
棚板(６)の上方空間を仕切らせる仕切り部材(８)は、前後調整杆(11)へ取付けることにより、棚板(６)の上方空間の仕切りと、該空間の奥行き調整とを行なわせる。従って、前後調整杆(11)は、図２に示すように左右方向に長手で、この長手方向に対する垂直断面が、長方形の一角を斜めに切除した形状をなしている。
【００１４】
長方形の一角を切除して形成された傾斜辺は、図２に示すように長方形の長辺側の切除寸法ｌより、短辺側の切除寸法ｍが短くなるように形成され、かつ、傾斜辺に対応する斜面(11a)には、左右方向を向く案内溝(12)が設けられて、この案内溝(12)は、開口部(12a)が狭く、溝奥部(12b)が拡径された形状をなしている。
【００１５】
仕切り部材(８)は、図３に示すように、弾性に富む金属杆材(13)をほぼＵ字形に折曲した後、その両遊端部を、まず、対向するように内側へ直角に曲げ込んで一対の曲込み部(8a)を形成させ、この曲込み部(8a)の先を、Ｕ字形をなす部分とは反対の方向へ直角に折曲して、互いに平行する中継部(8b)とする。中継部(8b)の先は、僅かに外側へ折曲する曲広げ部(8c)とし、この曲広げ部(8c)の先を、他の部分と直角をなすように曲げ起こして、案内溝(12)への係止部(14)を形成させる。
【００１６】
仕切り部材(８)は、ほぼＵ字形をなす部分を握ると、係止部(14)が前後調整杆(11)における案内溝(12)の開口部(12a)よりも狭くなるようにすぼまるから、すぼまった係止部(14)を、開口部(12a)から案内溝(12)へ嵌合して仕切り部材(８)から手を離すと、係止部(14)は、弾性により復元されて、その外面を案内溝(12)の奥側(12b)の対応面へ押し付けられる。従って、仕切り部材(８)は、前後調整杆(11)へ妄りに外れないように確実に取り付けられるとともに、案内溝(12)に沿った移動に対して適当な抵抗を与えられる。
【００１７】
仕切り部材(８)を支持する前後調整杆(11)は、図４に実線で示すように短辺が棚板(６)へ当接し、長辺が背面板(７)へ当接するように棚板(６)上へ立てて置くと、上方空間の奥行きは符号ｄ１で示す寸法となる。しかし、前後調整杆(11)を、鎖線で示すように長辺が棚板(６)に当接し、短辺が後面板(７)へ当接するように倒して置くと、上方空間の奥行きは符号ｄ２で示す寸法となり、これに伴い仕切り部材(８)も前方へ移動して、書籍や書類(１)の横幅が狭くなってもその中央部附近を支持するとともに、仕切り部材(８)の高さ方向の位置変化は、前後調整杆(11)の傾斜辺を長辺側の切除寸法よりも、短辺側の切除寸法が短くなるように形成することによって、極力少なくなっている。
【００１８】
前後調整杆(11)は、図５に示すように長辺の下側に、左右方向を向く突条(15)を設け、この突条(15)に対応させて、棚板(６)の上面に、左右方向を向く複数の凹溝(16)を形成しておくと、前後調整杆(11)の突条(15)を棚板(６)の複数の凹溝(16)へ選択的に係合させることにより、背面板(７)がない場合も、前後調整杆(11)を固定して、棚板(６)の上方空間の奥行きを、符号ｄ１、ｄ２、ｄ３で示す寸法のように調整することができるとともに、仕切り部材(８)の位置もそれに応じて移動させることができる。
【００１９】
棚(１)における棚板(６)は、その裏面に、前後調整杆(11)の案内溝(12)と同様な案内溝(12)を、左右方向を向くように形成しておくと、書籍や書類が大きいときなどに、前後調整杆(11)の仕切り部材(８)の一部を前後調整杆(11)の案内溝(12)から外して、棚板(６)の裏面に形成された案内溝(12)へ図７に示すように嵌合して、前後調整杆(11)に支持させた仕切り部材(８)と併せて使用することもできる。
【００２０】
【発明の効果】
本発明によると、次のような効果を奏することができる。
(ａ) 請求項１に記載の発明によれば、仕切り部材を支持させた前後調整杆を棚板上へ置けば、棚板の上方空間の仕切りと、該空間の奥行き調整とが同時に行なわれて、しかも、前後調整杆の置き方を変えれば、上方空間の奥行きの変更とともに、仕切り部材の位置の変更ができる。
【００２１】
このように、本発明の仕切り装置は、複合的な機能を有するとともに、棚板上の書籍や書類などを下方から仕切るために、従来のように棚板裏面から垂下させた仕切り部材によって上方から仕切った場合にみられた書籍や書類の下部が横すべりして倒れるような不都合もなく、安定した確実な仕切りが得られる。
【００２２】
(ｂ) 請求項２に記載の発明によれば、棚板上へ前後調整杆を立てて置く場合と、倒しておく場合との仕切り部材の高さの変化を極力少なくすることができる。
【００２３】
(ｃ) 請求項３に記載の発明によれば、前後調整杆を背面板基準で位置を決めたり、空間の奥行きを調整したりすることができる。
【００２４】
(ｄ) 請求項４に記載の発明によれば、仕切り部材の係合部をすぼめて、前後調整杆の案内溝に嵌合させれば、仕切り部材は簡単に前後調整杆へ取付けられて、妄りに外れることがなく、必要なときは簡単に取外せる。しかも、仕切り部材の係止部は、弾性により案内溝の奥部へ圧接されるため、がたつきのない安定した取付けが行われるとともに、仕切り部材の移動に適切な抵抗を与えうる。
【００２５】
(ｅ) 請求項５に記載の発明によれば、棚板の後方の背面板がない場合でも、前後調整杆の突条を棚板の複数の凹溝へ選択的に係合させることにより、前後位置を容易に調整して仕切り装置を安定的に固定することができる。
【図面の簡単な説明】
【図１】本発明の棚における奥行き調整機能を有する仕切り装置の一実施態様を示す斜視図である。
【図２】前後調整杆と、これに支持させる仕切り部材とを示す斜視図である。
【図３】仕切り部材を拡大して示す斜視図である。
【図４】仕切り部材を支持させた前後調整杆の置き方を変えて、仕切り部材により仕切られた空間の奥行きを調整する場合を示す一部分の縦断側面図である。
【図５】仕切り部材を支持させた前後調整杆の位置を変えて、仕切り部材により仕切られた棚板の上方空間の奥行きを調整する場合を示す一部分の縦断側面図である。
【図６】従来の棚における仕切り装置を示す斜視図である。
【図７】従来の仕切り装置により棚板の上方空間の仕切り状態を示す一部分の縦断側面図である。
【符号の説明】
(１)書籍、書類等
(２)棚
(３)(３)左右の側面部材
(４)天板
(５)底板
(６)棚板
(７)背面板
(８)仕切り部材
(8a)曲げ込み部
(8b)中継部
(8c)曲げ広げ部
(９)支柱
(10)ブラケット
(11)前後調整杆
(11a)傾斜辺に対応する斜面
(12)案内溝
(12a)開口部
(12b)溝奥部
(13)金属杆材
(14)係止部
(15)突条
(16)凹溝
(17)従来の棚
(18)側面部材
(19)棚板
(20)案内溝
(21)仕切り部材
(22)係合部
(23)書籍、書類等
(24)調整部材
【図１】
0004361644.tif 000002
【図２】
0004361644.tif 000003
【図３】
0004361644.tif 000004
【図４】
0004361644.tif 000005
【図５】
0004361644.tif 000006
【図６】
0004361644.tif 000007
【図７】
0004361644.tif 000008